(57)【要約】【課題】周囲の温湿度環境が変化した場合であっても、被写体検出の精度が高い検出装置を提供すること。【解決手段】検出装置（100）は、被写体像を検出する受光素子（120）を保持する第１保持部材（140）と、前記受光素子に被写体像を形成する光学系（110）を保持する第２保持部材（130）と、前記第１保持部材と前記第２保持部材とを離間した状態で、前記第１保持部材と前記第２保持部材とを固定する第１固定部材および第２固定部材（161〜164）と、を有し、前記光学系の光軸が延びる第１方向と直交する第２方向と平行な方向において、前記第１保持部材の前記第２保持部材と対向する第１面と、前記第２保持部材の前記第１保持部材と対向する第２面の少なくとも一方の面は、前記第１方向に対し傾斜した面（141ａ、141ｂ）を有し、前記第１固定部材および前記第２固定部材は、前記傾斜した面に設けられ、かつ、前記第１面と前記第２面の間に配置される。【選択図】  図３
2015125215.tif 000002
【特許請求の範囲】
【請求項１】
被写体像を検出する受光素子を保持する第１保持部材と、
前記受光素子に被写体像を形成する光学系を保持する第２保持部材と、
前記第１保持部材と前記第２保持部材とを離間した状態で、前記第１保持部材と前記第２保持部材とを固定する第１固定部材および第２固定部材と、を有し、
前記光学系の光軸が延びる第１方向と直交する第２方向と平行な方向において、前記第１保持部材の前記第２保持部材と対向する第１面と、前記第２保持部材の前記第１保持部材と対向する第２面の少なくとも一方の面は、前記第１方向に対し傾斜した面を有し、
前記第１固定部材および前記第２固定部材は、前記傾斜した面に設けられ、かつ、前記第１面と前記第２面の間に配置されることを特徴とする検出装置。
【請求項２】
前記第１固定部材は、前記第１方向と直交し、かつ、前記第２方向に直交する第３方向において、前記第２固定部材と同じ位置に配置され、
前記第１固定部材の前記第２方向と平行な方向の長さは、前記第２固定部材の前記第２方向と平行な方向の長さと同じであることを特徴とする請求項１に記載の検出装置。
【請求項３】
前記第１固定部材は、前記第１方向において、前記第２固定部材と異なる位置に配置されることを特徴とする請求項１または２に記載の検出装置。
【請求項４】
前記第１面と前記第２面の少なくとも一方の面は、該第１面と該第２面との間隔が被写体側から像面側にかけて広がるように、前記第１方向に対し傾斜した面を有することを特徴とする請求項１ないし３のいずれか一項に記載の検出装置。
【請求項５】
前記第１面は、前記第１方向に対し傾斜した面を有し、
前記第２面は、前記第１方向に対し平行な面を有することを特徴とする請求項１ないし４のいずれか一項に記載の検出装置。
【請求項６】
前記第１面は、前記第１方向に対し平行な面を有し、
前記第２面は、前記第１方向に対し傾斜した面を有することを特徴とする請求項１ないし４のいずれか一項に記載の検出装置。
【請求項７】
前記傾斜した面は、平面または曲面であることを特徴とする請求項１ないし６のいずれか一項に記載の検出装置。
【請求項８】
前記第１固定部材は、前記受光素子に対し前記第２固定部材とは反対側に設けられることを特徴とする請求項１ないし７のいずれか一項に記載の検出装置。
【請求項９】
前記固定部材は、接着剤であり、
前記第１固定部材と前記第２固定部材は、前記接着剤を供給する供給部材の所定の幅を備えた先端部が、前記第１面および前記第２面に当接することで前記第１方向の位置決めがされることを特徴とする請求項１ないし８のいずれか一項に記載の検出装置。
【請求項１０】
前記光学系は、焦点検出光学系であり、
前記受光素子は、一対の被写体像を検出することを特徴とする請求項１ないし９のいずれか一項に記載の検出装置。
【請求項１１】
請求項１ないし１０のいずれか一項に記載の検出装置と、
前記検出装置からの出力に基づいて焦点調節を行う焦点調節装置と、を備えた撮像装置。
【発明の詳細な説明】
【技術分野】
【０００１】
本発明は、被写体の検出装置に関し、特に受光素子と光学系の位置調整機構に関するものである。
【背景技術】
【０００２】
従来、カメラなどの光学機器に備えられた焦点検出装置などの被写体検出装置は、被写体像を検出する受光素子と、該受光素子に被写体像を形成するレンズ等の光学系により構成されている。そのような構成において、受光素子は、被写体像を適切に検出するために、光学系に対して位置を調整されて固定される。
【０００３】
特許文献１では、光学系を保持する光学系保持部材と、受光素子を保持する受光素子保持部材の間に、支持部材を設け、受光素子の調整を多軸に行う構造が開示されている。
【０００４】
しかしながら、上述の特許文献１に開示された構造では、光学系保持部材と支持部材、及び、支持部材と受光素子保持部材は、それぞれ当接状態であり、受光素子の調整時には摩擦力が生じる。したがって、この摩擦力により、調整時に指示した駆動量と実際の駆動量に差異が生じることから、受光素子の調整を迅速かつ高精度に行うことが困難となる。
【０００５】
この課題を解決する策として、光学系保持部材と受光素子保持部材を非接触にする構造が知られている。該構造では、光学系保持部材と受光素子保持部材が非接触であるため、摩擦力が生じず、迅速かつ高精度な調整が可能となる。
【０００６】
特許文献２では、光学系保持部材と受光素子保持部材とを非接触とし、光学系保持部材と受光素子保持部材との隙間に接着剤を充填して固定する充填接着構造が開示されている。
【先行技術文献】
【特許文献】
【０００７】
【特許文献１】特登録４２５０２３５号
【特許文献２】特開平５−２１００４６号公報
【発明の概要】
【発明が解決しようとする課題】
【０００８】
しかしながら、特許文献２に開示された充填接着構造では、受光素子の調整の結果、各接着箇所における光学系保持部材及び受光素子保持部材の間隔、すなわち各接着剤の隙間方向の長さが不均一となり得る。そして、該充填接着構造では、周囲の温湿度環境の変化により、充填された接着剤は膨張または収縮してしまう。各接着剤の隙間方向の長さは不均一であるため、接着剤の膨張または収縮により、光学系保持部材と受光素子保持部材には各接着剤から異なる大きさの応力が作用する。その結果、受光素子は光学系に対して接着固定時とは異なる位置に移動してしまい、受光素子は適切な被写体像が得られなくなる。つまり、特許文献２に開示された充填接着構造では、周囲の温湿度環境の変化により、被写体検出の精度が低下するという問題がある。
【０００９】
そこで、本発明は、周囲の温湿度環境が変化した場合であっても、被写体検出の精度が高い検出装置およびそれを備えた撮像装置を提供することを目的とする。
【課題を解決するための手段】
【００１０】
本発明の一側面としての検出装置は、被写体像を検出する受光素子を保持する第１保持部材と、前記受光素子に被写体像を形成する光学系を保持する第２保持部材と、前記第１保持部材と前記第２保持部材とを離間した状態で、前記第１保持部材と前記第２保持部材とを固定する第１固定部材および第２固定部材と、を有し、前記光学系の光軸が延びる第１方向と直交する第２方向と平行な方向において、前記第１保持部材の前記第２保持部材と対向する第１面と、前記第２保持部材の前記第１保持部材と対向する第２面の少なくとも一方の面は、前記第１方向に対し傾斜した面を有し、前記第１固定部材および前記第２固定部材は、前記傾斜した面に設けられ、かつ、前記第１面と前記第２面の間に配置されることを特徴とする。
【００１１】
本発明の他の目的及び特徴は、以下の実施例において説明される。
【発明の効果】
【００１２】
本発明によれば、周囲の温湿度環境が変化した場合であっても、被写体検出の精度が高い検出装置およびそれを備えた撮像装置を提供することができる。
【図面の簡単な説明】
【００１３】
【図１】本発明の実施例である光学機器（撮像装置）の概略構成図である。
【図２】焦点検出センサ１２０の位置調整時における焦点検出装置１００の位置調整機構の概略構成図である。図２（ａ）は斜視図であり、図２（ｂ）はｚ２−ｘ２平面の断面図である。
【図３】焦点検出センサ１２０の位置調整後の焦点検出装置１００の概略構成図である。図３（ａ）は斜視図、図３（ｂ）は上面図、図３（ｃ）はＡ−Ａ断面図である。
【図４】接着剤１６１〜１６４の塗布位置を決定するための工程の説明図であり、焦点検出装置１００のＡ−Ａ断面図である。図４（ａ）は接着剤１６１の塗布位置の決定前の状態、図４（ｂ）は接着剤１６１の塗布直後の状態、図４（ｃ）は接着剤１６２の塗布直後の状態を示した図である。
【発明を実施するための形態】
【００１４】
以下、本発明の好ましい実施の形態を、添付の図面に基づいて詳細に説明する。
【００１５】
図１は、本発明の実施形態に係る被写体検出装置を含む光学機器（撮像装置）の概略構成図である。
【００１６】
図１において、２００は本発明のカメラ筐体である。３００はカメラ筐体２００に固定されたマウント（図示せず）に対して着脱可能な交換レンズである。交換レンズ３００は、撮影レンズ１を収容している。
【００１７】
２はメインミラーであり、３はサブミラーである。１００は本発明の被写体検出装置としての焦点検出装置である。
【００１８】
メインミラー２によって反射された光は、撮像素子１４と光学的に共役な位置に配置されたピント板１０上に結像する。ピント板１０にて拡散されてこれを透過した光（被写体像）は、ペンタダハプリズム１１によって正立像に変換される。正立像は、接眼レンズ１２によって拡大され、ユーザにより観察される。
【００１９】
１３は光学的ローパスフィルタであり、１４は撮像素子である。光学的ローパスフィルタ１３は、撮影画像の偽色やモアレを軽減する。撮像素子１４は撮影レンズ１により形成された被写体像を光電変換して画像を生成し、電気信号を出力するＣＣＤセンサやＣＭＯＳセンサ等の光電変換素子により構成される。２１はカメラにおける各種演算や各種動作の制御を行うコントローラとしてのカメラＣＰＵである。
【００２０】
交換レンズ３００において、２２は交換レンズ３００に関する各種情報を記憶しているメモリである。２３は撮影レンズ１に含まれるフォーカスレンズ（図示せず）を光軸方向に移動させて撮影レンズ１の焦点調節を行わせるフォーカスモータである。フォーカスモータ２３は、カメラＣＰＵ２１によってその動作が制御される。
【００２１】
次に、焦点検出装置１００を用いた撮影レンズ１の焦点状態の検出（焦点検出）について説明する。被写体からの光は、撮影レンズ１を通過した後、ハーフミラーより構成されたメインミラー２に入射する。メインミラー２に入射した光の一部は該メインミラー２を透過し、サブミラー３で反射されて焦点検出装置１００のフィールドレンズ１０１に入射する。フィールドレンズ１０１は、入射した光（光束）を集光させる。
【００２２】
フィールドレンズ１０１を透過した光束は、赤外カットフィルタ等の光学フィルタ１０２を通過し、絞り１０３によってその通過範囲が制限されて二次結像レンズ１０４に入射する。絞り１０３による光通過範囲の分割および制限機能により、二次結像レンズ１０４には、撮影レンズ１の射出瞳内の２つの領域を通過した光束が入射する。なお、フィールドレンズ１０１および二次結像レンズ１０４により焦点検出光学系１１０（すなわち、受光素子に被写体像を形成する光学系）が構成される。
【００２３】
二次結像レンズ１０４は、入射した２つの光束を焦点検出用の撮像素子である焦点検出センサ１２０（すなわち、被写体像を検出する受光素子）上に再結像させる。これにより、焦点検出センサ１２０上には、上記２つの瞳分割領域からの光束により一対の光学像である被写体像が形成される。焦点検出センサ１２０は、該一対の被写体像を光電変換して一対の像信号を出力する。
【００２４】
カメラＣＰＵ２１は、該一対の像信号に対して相関演算を行うことで、それらの相対的な位置ずれを示す位相差を算出し、該位相差に基づいて撮影レンズ１の焦点状態（デフォーカス量）を算出する。そして、カメラＣＰＵ２１は、デフォーカス量に基づいて、合焦状態を得るためにフォーカスレンズを移動させるべき量を算出する。その後、カメラＣＰＵ２１は、その算出結果に応じてフォーカスモータ２３を駆動してフォーカスレンズを移動させることにより焦点調節を行わせて合焦状態を得る。換言すれば、本発明の撮像装置は、焦点検出装置１００からの出力に基づいて焦点調節を行う焦点調節装置（フォーカスモータ２３など）を有している。
【００２５】
カメラＣＰＵ２１は、上述した焦点検出および焦点調節が行われた後、メインミラー２およびサブミラー３を撮影レンズ１からの光路外に退避させる。これにより、撮影レンズ１からの光が光学フィルタ１３を介して撮像素子１４に到達し、該撮像素子１４上に被写体像を形成する。撮像素子１４は該被写体像を光電変換し、カメラＣＰＵ２１は撮像素子１４からの電気信号に基づいて画像を生成し、これを記録媒体に記録する。
【００２６】
次に、図２〜図４を用いて本発明の実施形態に係る焦点検出装置１００の位置調整機構について説明する。図２〜図４は、いずれも本発明の実施形態に係る焦点検出装置１００のうち、本発明に係る位置調整機構に着目した概略構成図である。
【００２７】
図２は、焦点検出センサ１２０の位置調整時における焦点検出装置１００の概略構成図である。図２（ａ）は斜視図であり、図２（ｂ）は後述する座標系Ｃ２のｚ２−ｘ２平面の断面図である。
【００２８】
１３０は焦点検出光学系１１０を保持し、外部の光を遮光する保持部材であるところの本体ブロック（第２保持部材）である。１４０は焦点検出センサ１２０を保持するためのセンサホルダ（第１保持部材）である。
【００２９】
図２（ａ）中、Ｃ１は焦点検出光学系１１０の座標系であり、Ｃ２は焦点検出センサ１２０の座標系である。焦点検出光学系１１０の光軸、焦点検出センサ１２０の光軸を、それぞれ座標系Ｃ１のｚ１軸、座標系Ｃ２のｚ２軸（光学系の光軸が延びる第１方向）と定義する。また、焦点検出センサ１２０の座標系Ｃ２において、ｚ２軸に垂直でかつ、焦点検出センサ１２０の長手方向に沿って並ぶ受光素子の列（いわゆる相関方向）に平行な直線をｘ２軸（第１方向と直交する第２方向と平行な方向）とする。焦点検出光学系１１０の座標系Ｃ１において、ｚ１軸に垂直でかつ、二次結像レンズ１０４で像を分離する方向（すなわち、位置調整後において相関方向に平行な方向）をｘ１軸とする。座標系Ｃ１において、ｚ１軸に垂直でかつｘ１軸に垂直な方向をｙ１軸とし、座標系Ｃ２において、ｚ２軸に垂直でかつｘ２軸に垂直な方向をｙ２軸（第１方向と直交し、かつ、第２方向に直交する第３方向）とする。
【００３０】
焦点検出センサ１２０は、センサホルダ１４０に対して焦点検出センサ１２０の外形を突き当てることにより位置決めされ、接着固定されている。１５０は焦点検出センサ１２０及びセンサホルダ１４０が一体化したセンサユニットであり、焦点検出センサ１２０はセンサユニット１５０として焦点検出光学系１１０に対する位置調整が行われる。
【００３１】
焦点検出光学系１１０に対する焦点検出センサ１２０のｚ２方向の位置は、電気調整により対応可能であるため、機構上の微調整は必須ではない。よって、焦点検出光学系１１０に対する焦点検出センサ１２０の位置や姿勢は、ｚ２方向の位置を除く５軸が一致するように調整される。
【００３２】
本体ブロック１３０とセンサホルダ１４０は紫外線硬化型接着剤（固定部材）により固定される。より具体的には、紫外線硬化型接着剤は、本体ブロック１３０とセンサホルダ１４０とを離間した状態（非接触状態）で、本体ブロック１３０とセンサホルダ１４０とを固定する。図３（ｃ）に示すように、接着剤により固定された状態において、センサホルダ１４０は、ｘ２軸方向で本体ブロック１３０と対向する第１面を有する。また、本体ブロック１３０は、ｘ２軸方向でセンサホルダ１４０と対向する第２面を有する。また、センサホルダ１４０は、第１面において、接着剤塗布領域１４１ａ及び１４１ｂを有し、本体ブロック１３０は、第２面において、接着剤塗布領域１３１ａ及び１３１ｂを有する。接着剤は、第１面と第２面との間に配置され、接着剤塗布領域１３１ａと１４１ａ、及び１３１ｂと１４１ｂに挟まれた空間の一部において塗布される。本体ブロック１３０の接着剤塗布領域１３１ａ及び１３１ｂの形状は、ｙ１−ｚ１平面に略平行な平面である。ここで、略平行とは、完全に平行な場合と、許容誤差の範囲内で完全に平行な場合からずれている場合とを含む意味である。以下で述べる略垂直も同様の意味である。センサホルダ１４０の接着剤塗布領域１４１ａ及び１４１ｂの形状は、ｙ２軸に略平行な面であり、かつｚ２方向に沿った勾配を有する平面である。ここでは、第２面が略平行な面を有し、第１面が勾配を有する平面である例を示すが、後述するように、第１面が略平行な面を有し、第２面が勾配を有する平面を有してもよい。また、第１面および第２面がともに、勾配を有する平面であってもよい。換言すれば、第１面と第２面の少なくとも一方の面は、ｚ２方向に対し傾斜した面を有する。もう少し言えば、該第１面と該第２面との間隔が被写体側から像面側にかけて広がるように、ｚ２方向に対し傾斜した面を有する。なお、接着剤は、該傾斜した面に設けられ、かつ、第１面と第２面の間に配置される。
【００３３】
図３は、焦点検出センサ１２０の位置調整後の焦点検出装置１００の概略構成図である。図３（ａ）は斜視図、図３（ｂ）は上面図、図３（ｃ）はＡ−Ａ断面図である。焦点検出センサ１２０の位置調整後において、Ｃ１とＣ２はｚ２方向の位置を除く５軸が一致しているため、説明はＣ２を用いて行う。
【００３４】
１６１〜１６４は、本体ブロック１３０とセンサホルダ１４０とを固定するための接着剤である。ｄ１６１〜ｄ１６４は、各接着箇所における接着剤塗布領域１３１ａ及び１４１ａ、並びに１３１ｂ及び１４１ｂの間隔であり、接着剤塗布後における各接着剤１６１〜１６４のｘ２方向の長さに等しい。ここでは、各接着剤１６１〜１６４のｘ２方向の長さｄ１６１〜ｄ１６４とは、該ｘ２方向における長さが最大となる長さを指す。ｆ１６１〜ｆ１６４は、周囲の温湿度環境が変化し、接着剤１６１〜１６４が膨張または収縮することによりセンサユニット１５０が受ける応力である。
【００３５】
図３（ａ）に示すように、接着剤１６１及び１６３は接着剤塗布領域１３１ａ及び１４１ａに挟まれた空間に、接着剤１６２及び１６４は接着剤塗布領域１３１ｂ及び１４１ｂに挟まれた空間に、ディスペンサ（図示せず）により一定量塗布される。その後、接着剤１６１〜１６４は紫外線照射により硬化し、本体ブロック１３０とセンサホルダ１４０は接着固定される。
【００３６】
図３（ｂ）で示すように、本発明において接着剤１６１〜１６４の塗布位置のｘ２座標及びｙ２座標は不変である。接着剤１６１及び１６２の塗布位置のｙ２座標は互いに略等しく、また、接着剤１６３及び１６４の塗布位置のｙ２座標も互いに略等しい。ここで、略等しいとは、完全に等しい場合と、許容誤差の範囲内で完全に等しい場合からずれている場合とを含む意味である。換言すれば、第１固定部材（１６１、１６３）は、ｙ２方向において、第２固定部材（１６２、１６４）と同じ（略等しい）位置に配置される。また、第１固定部材（１６１、１６３）のｘ２方向の長さは、第２固定部材（１６２、１６４）のｘ２方向の長さと同じである（略等しい）。一方、図３（ｃ）で示すように、接着剤１６１〜１６４の塗布位置のｚ２座標は、センサホルダ１４０及び本体ブロック１３０の位置や姿勢によって異なる（図中ｈ）。換言すれば、第１固定部材（たとえば、接着剤１６１）は、ｚ２方向において、第２固定部材（たとえば、接着剤１６２）と異なる位置に配置される。具体的には、間隔ｄ１６１〜ｄ１６４が略等しくなる位置に、接着剤１６１〜１６４のｚ２座標を決定する。なお、図示されるように、第１固定部材（１６１、１６３）は、焦点検出センサ１２０に対し第２固定部材（１６２、１６４）とは反対側に設けられる。
【００３７】
各接着剤１６１〜１６４のｘ２方向の長さは互いに略等しいため、周囲の温湿度環境が変化により発生する応力ｆ１６１〜ｆ１６４の大きさも互いに略等しい。また、応力ｆ１６１及びｆ１６２の作用点のｙ２座標は互いに略等しく、応力ｆ１６３及びｆ１６４作用点のｙ２座標も互いに略等しい。応力ｆ１６１〜ｆ１６４の向きはｙ２軸に略垂直であるため、応力ｆ１６１とｆ１６２、及びｆ１６３とｆ１６４によりセンサユニット１５０に生じるｚ２軸回りの力のモーメントはそれぞれ相殺される。よって、力のモーメントの合計は０となる。そのため、焦点検出センサ１２０を有するセンサユニット１５０はｚ２軸回りの方向に回転移動しない。
【００３８】
図４は、図３で示した焦点検出装置１００において、接着剤１６１〜１６４の塗布位置のｚ２座標を決定するための工程を示した図であり、Ａ−Ａ断面図である。図４（ａ）は焦点検出センサ１２０の位置調整後かつ接着剤１６１の塗布位置の決定前の状態、図４（ｂ）は接着剤１６１の塗布直後の状態、図４（ｃ）は接着剤１６２の塗布直後の状態を示している。
【００３９】
接着剤１６１〜１６４を順に塗布する場合について説明する。
【００４０】
１７０は接着剤１６１〜１６４の塗布するためのディスペンサ（すなわち、接着剤を供給する供給部材）の針である。
【００４１】
図４（ａ）で示すように、ディスペンサの針１７０は、センサホルダ１４０の接着剤塗布領域１４１ａに接触するまで図中矢印で示すｚ２方向に下降する。接触の検出は例えばディスペンサに取り付けられた力センサを用いて行う。接触が検出されるとディスペンサの針１７０は停止し、図４（ｂ）で示すように接着剤１６１を塗布する。その後、ディスペンサの針１７０は上昇し、次の接着剤１６２の塗布位置に移動する。接着剤１６２の塗布位置においても同様に塗布位置のｚ２座標が決定され、図４（ｃ）で示すように、接着剤１６２が塗布される。その後も同様に、接着剤１６３及び１６４の塗布位置のｚ２座標が決定され、接着剤１６３及び１６４が塗布される。換言すれば、接着剤１６１〜１６４は、ディスペンサの所定の幅（第１幅）を備えた針（先端部）が、第１面および第２面に当接することでｚ２方向の位置決めがなされる。
【００４２】
以上の工程により、接着剤１６１〜１６４の塗布位置のｚ２座標を決定することで、各接着剤１６１〜１６４のｘ２方向の長さを互いに略等しくすることができる。そのため、焦点検出センサ１２０を有するセンサユニット１５０はｚ２軸回りの方向に回転移動しない。
【００４３】
以上により、周囲の温湿度環境が変化した場合であっても、焦点検出センサ１２０により適切な被写体像を得られるため、高精度な焦点検出装置１００を提供することが可能である。
【００４４】
以上、本発明の好ましい実施形態について説明したが、本発明はこれらの実施形態に限定されず、その要旨の範囲内で種々の変形及び変更が可能である。なお、上記の実施例では、受光素子の光軸方向の位置とともに変化するような形状として、接着剤塗布領域１４１ａ及び１４１ｂを勾配を有する平面とした。しかし、本発明はこれに限定されず、接着剤塗布領域１３１ａ及び１３１ｂが勾配を有する形状としてもよい。また、平面に限らず曲面であってもよい。さらに、被写体検出装置として焦点検出装置１００を例に説明したが、被写界の輝度などの情報を取得する測光装置や、撮影装置などの被写体検出装置に適用されてもよい。また、被写体検出装置を用いている光学機器として一眼レフカメラを例に説明したが、ビデオカメラ、コンパクトデジタルカメラなどの光学装置に適用されてもよい。
【産業上の利用可能性】
【００４５】
本発明の検出装置は、ビデオカメラやコンパクトデジタルカメラなどの光学装置に好適に利用できる。
【符号の説明】
【００４６】
１００  焦点検出装置
１３０  本体ブロック
１３１ａ、１３１ｂ  本体ブロックの接着剤塗布領域
１４０  センサホルダ
１４１ａ、１４１ｂ  センサホルダの接着剤塗布領域
１６１〜１６４  接着剤
【図１】
2015125215.tif 000003
【図２】
2015125215.tif 000004
【図３】
2015125215.tif 000005
【図４】
2015125215.tif 000006